(57)【要約】【課題】構造及び駆動が簡単で、同じ時間に多点タッチ操作が可能であるタッチパネルに用いられる識別方法を提供する。【解決手段】本発明に係る多点タッチの識別方法は、第一方向に沿って複数の第一電極が設置されている第一導電層と、前記第一導電層に積層設置され、且つ第二方向に沿って複数の第二電極が設置されている第二導電層と、を備えるタッチパネルに用いられ、前記第一電極に第一電圧を提供した時、前記第二電極を測定して第一電位関数を獲得するステップと、前記第一電極の一部分に第一電圧を提供し、前記第一電極の他の部分に第一電圧を提供しない時、前記第二電極を測定して第二電位関数を獲得するステップと、前記第一電位関数及び前記第二電位関数によって前記タッチパネルの第一タッチ点及び第二タッチ点の第二方向での位置を計算するステップと、を備える。【選択図】図５Ｃ
2011028755.tif 000002
【特許請求の範囲】
【請求項１】
第一方向に沿って複数の第一電極が設置されている第一導電層と、前記第一導電層に積層設置され、且つ第二方向に沿って複数の第二電極が設置されている第二導電層と、を備えるタッチパネルに用いられる多点タッチの識別方法であって、
前記第一電極に第一電圧を提供した時、前記第二電極を測定して第一電位関数を獲得するステップと、
前記第一電極の一部分に第一電圧を提供し、前記第一電極の他の部分に第一電圧を提供しない時、前記第二電極を測定して第二電位関数を獲得するステップと、
前記第一電位関数及び前記第二電位関数によって前記タッチパネルの第一タッチ点及び第二タッチ点の第二方向での位置を計算するステップと、
を備えることを特徴とするタッチパネルに用いられる多点タッチの識別方法。
【請求項２】
前記第一導電層及び前記第二導電層は、導電異方性を有することを特徴とする請求項１に記載のタッチパネルに用いられる多点タッチの識別方法。
【請求項３】
前記第二導電層の低抵抗の方向は前記第一方向に沿い、前記第一導電層の低抵抗の方向は前記第二方向に沿うことを特徴とする請求項２に記載のタッチパネルに用いられる多点タッチの識別方法。
【請求項４】
前記第一導電層及び前記第二導電層は、平行に配列されたカーボンナンチューブからなる導電性フィルムであることを特徴とする請求項２に記載のタッチパネルに用いられる多点タッチの識別方法。
【請求項５】
前記第一方向と前記第二方向とが、直交することを特徴とする請求項１に記載のタッチパネルに用いられる多点タッチの識別方法。
【請求項６】
前記第二電極を順番に測定する時、測定されない第二電極に第二電圧を提供するステップをさらに備えることを特徴とする請求項１に記載のタッチパネルに用いられる多点タッチの識別方法。
【請求項７】
前記第一電極の一部分に第一電圧を提供する時、前記第一電極の他の部分に第二電圧を提供するステップをさらに備えることを特徴とする請求項１に記載のタッチパネルに用いられる多点タッチの識別方法。
【請求項８】
前記第一電位関数及び前記第二電位関数によって前記タッチパネルの前記第一タッチ点及び前記第二タッチ点の第二方向での位置を計算するステップは、
補正係数ｒを提供するステップと、
前記第二電位関数の極値に対応する位置を前記第一タッチ点の第二方向での位置とするステップと、
方程式Ｐ２＝Ｐ（１＋２）−ｒ×Ｐ１を計算して第三電位関数Ｐ２を獲得する（ここで、Ｐ（１＋２）は第一電位関数を表し、Ｐ１は第二電位関数を表す）ステップと、
前記第三電位関数Ｐ２の極値に対応する位置を前記第二タッチ点の第二方向での位置とするステップとをさらに備えることを特徴とする請求項１に記載のタッチパネルに用いられる多点タッチの識別方法。
【請求項９】
前記補正係数ｒを提供するステップは、
ルックアップテーブルを作成するステップと、
前記第一タッチ点の第一方向での位置に基づいて前記ルックアップテーブルを探して、前記補正係数ｒを獲得するステップとをさらに備えることを特徴とする請求項８に記載のタッチパネルに用いられる多点タッチの識別方法。
【請求項１０】
前記第一電位関数及び前記第二電位関数によって前記第一タッチ点と前記第二タッチ点の第二方向の位置を計算するステップは、
前記第一電位関数の極値に対応する位置を中間位置とするステップと、
前記第二電位関数の極値に対応する位置を前記第一タッチ点の第二方向での位置とするステップと、
方程式Ｐ２＝２×ｐｍ−Ｐ１を計算して、前記第二タッチ点の位置Ｐ２を獲得する（ここで、ｐｍは中間位置を表し、Ｐ１は第一タッチ点の位置を表す）ステップとをさらに備えることを特徴とする請求項１に記載のタッチパネルに用いられる多点タッチの識別方法。
【請求項１１】
前記第二電極に第二電圧を提供する時、前記第一電極を測定して第四電位関数を獲得するステップと、
前記第四電位関数の２つの極値に対応する位置を前記第一タッチ点と前記第二タッチ点との第一方向での位置とするステップとをさらに備えることを特徴とする請求項１に記載のタッチパネルに用いられる多点タッチの識別方法。
【請求項１２】
前記第一電極を順番に測定する時、測定されない第一電極に第一電圧を提供するステップをさらに備えることを特徴とする請求項１１に記載のタッチパネルに用いられる多点タッチの識別方法。
【請求項１３】
第一方向に沿って複数の第一電極が設置されている第一導電層と、前記第一導電層に積層設置され、且つ第二方向に沿って複数の第二電極及び複数の第三電極が設置されている第二導電層と、を備え、前記第二電極及び前記第三電極は第一方向に沿う前記第二導電層の異なる側辺に設置されているタッチパネルに用いられる多点タッチの識別方法であって、
前記第一電極の一部分に第一電圧を提供し、前記第一電極の他の部分に第一電圧を提供しない時、前記第二電極を測定して第一電位関数を獲得するステップと、
前記第一電極の前記他の部分に第一電圧を提供し、前記第一電極の前記一部分に第一電圧を提供しない時、前記第三電極を測定して第二電位関数を獲得するステップと、
前記第一電位関数の極値に対応する位置を第一タッチ点の第二方向での位置とするステップと、
前記第二電位関数の極値に対応する位置を第二タッチ点の第二方向での位置とするステップと、
を備えることを特徴とするタッチパネルに用いられる多点タッチの識別方法。
【請求項１４】
前記第一導電層及び前記第二導電層は、導電異方性を有することを特徴とする請求項１３に記載のタッチパネルに用いられる多点タッチの識別方法。
【請求項１５】
前記第二導電層の低抵抗の方向は前記第一方向に沿い、前記第一導電層の低抵抗の方向は前記第二方向に沿うことを特徴とする請求項１４に記載のタッチパネルに用いられる多点タッチの識別方法。
【請求項１６】
前記第一導電層及び前記第二導電層は、平行に配列されたカーボンナンチューブからなる導電性フィルムであることを特徴とする請求項１４に記載のタッチパネルに用いられる多点タッチの識別方法。
【請求項１７】
前記第一方向と前記第二方向とが、直交することを特徴とする請求項１３に記載のタッチパネルに用いられる多点タッチの識別方法。
【請求項１８】
前記第二電極及び前記第三電極を順番に測定する時、測定されない第二電極及び前記第三電極に第二電圧を提供するステップをさらに備えることを特徴とする請求項１３に記載のタッチパネルに用いられる多点タッチの識別方法。
【請求項１９】
前記第一電極の一部分に第一電圧を提供する時、前記第一電極の他の部分に第二電圧を提供するステップをさらに備えることを特徴とする請求項１３に記載のタッチパネルに用いられる多点タッチの識別方法。
【請求項２０】
前記第二電極及び／又は前記第三電極に第二電圧を提供する時、前記第一電極を測定して、第三電位関数を獲得するステップと、
前記第三電位関数の２つの極値に対応する位置を前記第一タッチ点及び前記第二タッチ点の第一方向での位置とするステップとをさらに備えることを特徴とする請求項１３に記載のタッチパネルに用いられる多点タッチの識別方法。
【請求項２１】
前記第一電極を順番に測定する時、測定されない第一電極に第一電圧を提供するるステップをさらに備えることを特徴とする請求項２０に記載のタッチパネルに用いられる多点タッチの識別方法。
【発明の詳細な説明】
【技術分野】
【０００１】
本発明は、タッチパネルに用いられる識別方法に関し、特にタッチパネルに用いられる多点タッチの識別方法に関するものである。
【背景技術】
【０００２】
伝統的なタッチパネルは、抵抗型、コンデンサー型、赤外線型及び表面波型を含む。例えば、４線又は５線式の抵抗型タッチパネルは、シミュレーション方式で導電性フィルムの電圧変化を測定するため、使用過程において、同じ時間に１つのタッチ動作だけを識別し、ユーザが同じ時間に複数のタッチ動作を行う場合、エラー（Ｅｒｒｏｒ）が発生し易い。
【０００３】
特許文献１及び２には、それぞれ多点タッチ動作を識別するコンデンサー型のタッチパネルが開示されている。前記コンデンサー型のタッチパネルは、２つの透明ガラス基板と、前記２つの透明ガラス基板の互いに向き合う表面にそれぞれ設置されている２つの透明導電層と、を備える。製品の解像度が異なることによって、前記２つの導電層に対してそれぞれ伝統的なリソグラフィー（Ｌｉｔｈｏｇｒａｐｈｙ）処理を実施して、前記２つの導電層に互いに平行し且つ一定の間隔を有する複数の導線を形成する。前記２つの導電層に形成されている導線は互いに直交する。タッチパネルに対して操作を進行する時、各々の導線をスキャン（Ｓｃａｎ）して各々の導線の静電容量の変化を分析することにより、接触点の座標を決定する。
【０００４】
しかし、前記コンデンサー型のタッチパネルにおいては、伝統的なリソグラフィー処理を必要とするため、製品を製造し難く、良品率が低く、さらに駆動方法も複雑である。従って、従来のコンデンサー型のタッチパネルは、多点タッチを識別できるが、製造コストが高く、応用範囲が制限される。
【先行技術文献】
【特許文献】
【０００５】
【特許文献１】米国特許出願公開２００６／００９７９９１号明細書
【特許文献２】米国特許出願公開２００８／０１５８１８１号明細書
【特許文献３】台湾特許出願公開２００９２０６８９号明細書
【発明の概要】
【発明が解決しようとする課題】
【０００６】
前記課題を解決するために、本発明は、構造及び駆動が簡単であり、且つ同時に多点タッチの操作を行うことができるタッチパネルに用いる多点タッチの識別方法を提供する。
【課題を解決するための手段】
【０００７】
本発明に係る多点タッチの識別方法は、第一方向に沿って複数の第一電極が設置されている第一導電層と、前記第一導電層に積層設置され、且つ第二方向に沿って複数の第二電極が設置されている第二導電層と、を備えるタッチパネルに用いられ、前記第一電極に第一電圧を提供した時、前記第二電極を測定して第一電位関数を獲得するステップと、前記第一電極の一部分に第一電圧を提供し、前記第一電極の他の部分に第一電圧を提供しない時、前記第二電極を測定して第二電位関数を獲得するステップと、前記第一電位関数及び前記第二電位関数によって前記タッチパネルの第一タッチ点及び第二タッチ点の第二方向での位置を計算するステップと、を備える。
【０００８】
本発明に係る多点タッチの識別方法は、第一方向に沿って複数の第一電極が設置されている第一導電層と、前記第一導電層に積層設置され、且つ第二方向に沿って複数の第二電極及び複数の第三電極が設置されている第二導電層と、を備え、前記第二電極及び前記第三電極は第一方向に沿う前記第二導電層の異なる側辺に設置されているタッチパネルに用いられ、前記第一電極の一部分に第一電圧を提供し、前記第一電極の他の部分に第一電圧を提供しない時、前記第二電極を測定して第一電位関数を獲得するステップと、前記第一電極の前記他の部分に第一電圧を提供し、前記第一電極の前記一部分に第一電圧を提供しない時、前記第三電極を測定して第二電位関数を獲得するステップと、前記第一電位関数の極値に対応する位置を第一タッチ点の第二方向での位置とするステップと、前記第二電位関数の極値に対応する位置を第二タッチ点の第二方向での位置とするステップと、を備える。
【発明の効果】
【０００９】
従来の技術と比べると、本発明に係るタッチパネルに用いられる多点タッチの識別方法は、構造及び駆動が簡単であり、低コストの抵抗式タッチパネルを提供し、前記タッチパネルは、簡単な計算を通じて複数のタッチ点の識別及び各種手姿勢で複数点のタッチ操作を行うことができ、特に、２つのタッチ点が非常に近い場合であっても、タッチ点の座標を判断することができるので、タッチパネルの応用範囲を大幅に拡大することができる。
【図面の簡単な説明】
【００１０】
【図１】本発明に係る抵抗型のタッチパネルの分解図である。
【図２】図１に示したタッチパネルの測定電位の関数を説明する図である。
【図３】図１に示したタッチパネルの２つのタッチ点がＹ軸方向で非常に近い時、測定電位の関数を説明する図である。
【図４Ａ】本発明に係るタッチパネルの多点タッチの識別方法の第一実施形態を説明する図である。
【図４Ｂ】本発明に係るタッチパネルの多点タッチの識別方法の第一実施形態を説明する図である。
【図５Ａ】本発明に係るタッチパネルの多点タッチの識別方法の第二実施形態を説明する図である。
【図５Ｂ】本発明に係るタッチパネルの多点タッチの識別方法の第二実施形態を説明する図である。
【図５Ｃ】本発明に係るタッチパネルの多点タッチの識別方法の第二実施形態を説明する図である。
【発明を実施するための形態】
【００１１】
以下、図面を参照して、本発明の実施形態について説明する。
【００１２】
図１は、本発明に係る抵抗型のタッチパネル１００の分解図である。図１では、デカルト座標システム（Ｃａｒｔｅｓｉａｎ  ｃｏｏｒｄｉｎａｔｅ  ｓｙｓｔｅｍ）を導入し、前記デカルト座標システムは、互いに直交するＸ軸、Ｙ軸、Ｚ軸を含む。簡単に説明するために、図１では、ただ５つの第一電極１１４及び５つの第二電極１２４だけを示した。しかし、実際の応用において、前記第一電極１１４及び前記第二電極１２４の個数は、実際のタッチパネルの面積及び応用分野により確定される。
【００１３】
図１を参照すると、前記タッチパネル１００は、第一導電性フィルム１１０と、前記第一導電性フィルム１１０に積層設置される第二導電性フィルム１２０と、前記第一導電性フィルム１１０と前記第二導電性フィルム１２０を固着させるリング形接着層１３０と、を備える。前記第一導電性フィルム１１０と前記第二導電性フィルム１２０との間には複数の絶縁素子１３２が均一に分布される。前記絶縁素子１３２は、前記第一導電性フィルム１１０と前記第二導電性フィルム１２０とが互いに一定の間隔を維持されるようにする。
【００１４】
前記第一導電性フィルム１１０は、第一基板１１１と、前記第一基板１１１の表面に設置される第一接着層１１２と、前記第一接着層１１２により前記第一基板１１１に固着される第一導電層１１３と、を備える。前記第一導電層１１３の一端部側の表面には、第一方向（例えば、Ｘ軸方向）に沿って複数の第一電極１１４が等間隔に配列され、且つ前記複数の第一電極１１４は前記第一導電層１１３にそれぞれに電気的に接続される。前記複数の第一電極１１４の末端は、それぞれ前記第一導電性フィルム１１０の端部の中央へ延在されて、信号の伝達に用いられる。
【００１５】
前記第二導電性フィルム１２０は、第二基板１２１と、前記第二基板１２１の表面に設置される第二接着層１２２と、前記第二接着層１２２により前記第二基板１２１に固着される第二導電層１２３と、を備える。前記第二導電層１２３の１つの側縁（図１での右側縁）の表面には、第二方向（例えば、Ｙ軸方向）に沿って複数の第二電極１２４が等間隔に配列され、且つ前記複数の第二電極１２４は前記第二導電層１２３にそれぞれに電気的に接続される。前記複数の第二電極１２４は、前記第二導電性フィルム１２０の右側縁に平行に設置されている複数の接続リード１２５に接続される。前記接続リード１２５は、前記第二導電層１２３の右側縁に沿って延在し、その末端は前記第二導電性フィルム１２０の端部の中央まで延在されて、信号の伝達に用いられる。
【００１６】
前記タッチパネル１００は、複数の金属接点１４１を持つフレキシブルプリント回路基板１４０をさらに備える。前記リング形接着層１３０の端部の中央には欠口部１３１が開設されている。前記タッチパネルを組み立てる時、前記フレキシブルプリント回路基板１４０を前記欠口部１３１に位置させ、前記フレキシブルプリント回路基板１４０の複数の金属接点１４１を、それぞれ前記第一導電性フィルム１１０における第一電極１１４の末端及び前記第二導電性フィルム２２０における接続リード１２５の末端に電気的に接続させて、外部の電気信号を前記第一電極１１４及び前記第二電極１２４に伝達させる。
【００１７】
前記第一基板１１１及び前記第二基板１２１は、ポリエチレン（Ｐｏｌｙｅｔｈｙｌｅｎｅ、ＰＥ）、ポリカーボネート（Ｐｏｌｙｃａｒｂｏｎａｔｅ、ＰＣ）、ポリエチレンテレフタレート（Ｐｏｌｙｅｔｈｙｌｅｎｅ  ｔｅｒｅｐｈｔｈａｌａｔｅ、ＰＥＴ）、ポリメタクリル酸メチル（ＰｏｌｙＭｅｔｈｙｌ  ＭｅｔｈＡｃｒｙｌａｔｅ、ＰＭＭＡ）又は薄膜化されたガラスのような透明材料からなる。前記リング形接着層１３０、前記第一接着層１１２及び前記第二接着層１２２は、熱硬化接着剤又はＵＶ硬化接着剤からなる。
【００１８】
特許文献３（カーボンナノチューブフィルムの製造装置及びカーボンナノチューブフィルムの製造方法）には、導電性を有するカーボンナノチューブフィルムの製造方法が開示されており、引張方式によって超整列のカーボンナノチューブアレイ（Ｓｕｐｅｒ  Ｖｅｒｔｉｃａｌ−Ａｌｉｇｎｅｄ  Ｃａｒｂｏｎ  Ｎａｎｏｔｕｂｅ  Ａｒｒａｙ）から透明導電性フィルムの製造に用いられるカーボンナノチューブフィルムを得る。
【００１９】
タッチパネルの信頼性を向上し、タッチパネルの枠の幅を低減するために、前記第一導電層１１３及び前記第二導電層１２３は、上述した方法によって形成されるカーボンナノチューブフィルムからなる。引張工程によって、前記カーボンナノチューブフィルムの複数のカーボンナノチューブは引張方向に沿って基本的に平行に配列され、前記導電層の引張方向に沿う抵抗は小さく、前記導電層の引張方向に直交する方向に沿う抵抗は、前記導電層の引張方向に沿う抵抗の５０〜３５０倍であり、異なる測定位置及び測定方向によって、導電層の表面抵抗は１ＫΩ／□〜８００ＫΩ／□である。従って、本発明における第一導電層１１３及び第二導電層１２３は、抵抗異方性（又は導電異方性、Ａｎｉｓｏｔｒｏｐｉｃ  Ｃｏｎｄｕｃｔｉｖｉｔｙ)を有する。
【００２０】
図１に示したように、前記第一導電層１１３は、主要導電方向Ｄ１（導電フィルムの引張方向、低抵抗方向）を有し、前記第二導電層１２３は、前記第一導電層１１３の主要導電方向Ｄ１に直交する主要導電方向Ｄ２を有する。例えば、前記第二導電層１２３の低抵抗方向Ｄ２はＸ軸方向に沿い、前記第一導電層１１３の低抵抗方向Ｄ１はＹ軸方向に沿う。前記第一導電層１１３において、前記主要導電方向Ｄ１に直交する方向の抵抗は、前記主要導電方向Ｄ１の抵抗の１００〜２００倍であり、前記第二導電層１２３において、前記主要導電方向Ｄ２に直交する方向の抵抗は、前記主要導電方向Ｄ２の抵抗の１００〜２００倍である。
【００２１】
簡単に説明するために、本発明に係るタッチパネルの操作において、２つのタッチ点のみを含む場合に対して説明する。しかし、本発明に係るタッチパネル１００の多点タッチの識別方法は、より多いタッチ点の場合にも適用される。
【００２２】
図２は、図１に示したタッチパネル１００の測定電位の関数を説明する図である。前記第二導電層１２３の第二電極１２４に第二電圧（例えば、接地電圧Ｖｓｓ）を提供する。各々の第二電極１２４に接地電圧Ｖｓｓが提供された場合、検出電気回路（図示せず）は、前記第一導電層１１３における複数の第一電極１１４を順番に測定する。前記複数の第一電極１１４の順番の測定において、測定されない第一電極１１４に第一電圧（例えば、システム電圧Ｖｄｄ）を提供する。従って、各々の第一電極１１４の位置（Ｘ軸位置に相当）及び測定された電圧に基づいて、Ｘ軸の電位関数を獲得することができる。タッチ点の位置では、前記第一導電層１１３と前記第二導電層１２３とが電気的に接続される。前記第一導電層１１３が導電異方性を有するため、前記２つのタッチ点のＸ軸位置ｘ１及びｘ２の電位は前記第二導電層１２３に流れ込んで低くなり、且つ前記第一導電層１１３の他の位置はシステム電圧Ｖｄｄを維持する。従って、Ｘ軸の電位関数の２つの極値（相対極小値）に対応する位置を、それぞれ第一タッチ点及び第二タッチ点のＸ軸位置とする。
【００２３】
同様に、前記第二導電層１２３の複数の第二電極１２４の中の１つを測定する時、前記第一導電層１１３の複数の第一電極１１４にシステム電圧Ｖｄｄを提供する。その時、検出電気回路（図示せず）は、複数の第二電極１２４を順番に測定する。前記複数の第二電極１２４の順番の測定において、測定されない第二電極１２４に接地電圧Ｖｓｓを提供する。従って、各々の第二電極１２４の位置（Ｙ軸位置に相当）及び測定された電圧に基づいて、Ｙ軸の電位関数を獲得する。前記第二導電層１２３が導電異方性を有するため、前記２つのタッチ点のＹ軸位置ｙ１及びｙ２の電位は前記第一導電層１１３によって高くなり、且つ前記第二導電層１２３の他の位置は接地電圧Ｖｓｓを維持する。従って、Ｙ軸の電位関数の２つの極値（相対極大値）に対応する位置を、前記第一タッチ点及び前記第二タッチ点のＹ軸位置とする。
【００２４】
図２には、連続的な関数曲線が示されたが、実際的には、前記第一電極１１４及び前記第二電極１２４が読出した電圧値は離散値である。前記離散値を利用して電位関数の相対極大値及び相対極小値を獲得することは、本技術分野の技術業者の通常知識であるため、それに対する説明を省略する。
【００２５】
図３は、図１に示したタッチパネル１００の測定電位の関数を説明する図である。図３は図２と類似しているが、異なる点は、前記２つのタッチ点がＹ軸方向で非常に近く、前記Ｙ軸の電位関数の位置ｙ１及びｙ２の２つの波形が互いに重畳してより大きい波形を形成することである。従って、検出電気回路（図示せず）は、前記第二電極１２４を測定した後、前記Ｙ軸の電位関数から１つの極値のみを獲得する。タッチパネル１００のシステムは、前記極値に対応する位置を前記２つのタッチ点のＹ軸位置（図３における点線で示した円形の箇所）と誤認する。しかし、前記２つのタッチ点のＹ軸の正しい位置は、位置ｙ１及びｙ２である。このような測定誤差は、下記の各実施形態における識別方法によって解決される。
【００２６】
図４Ａ及び図４Ｂは、多点タッチの識別方法の第一実施形態を示す図である。本実施形態において、Ｙ軸に平行である前記タッチパネル１００の第二導電層１２３の両側辺（例えば、図４Ａにおける第二導電層１２３の左右側辺）には、それぞれ複数の第二電極１２４及び複数の第二電極１２４’が設置されている。本実施形態に詳しく説明しなかった内容については、図１乃至図３の関連する説明を参照することができる。前記第二電極１２４及び／又は前記第二電極１２４’に第二電圧（例えば、接地電圧Ｖｓｓ）を提供した時、前記第一電極１１４を測定して、Ｘ軸の電位関数を獲得する。前記Ｘ軸の電位関数における２つの極大値に対応する位置を、タッチ点ｐ１及びｐ２のＸ軸での位置ｘ２及びｘ１とする。前記複数の第一電極１１４を順番に測定する時、測定されない第一電極１１４に第一電圧（例えば、システム電圧Ｖｄｄ）を提供する。
【００２７】
図３のような測定誤差が発生する時、下記のようなステップを行って、前記２つのタッチ点のＹ軸位置ｙ１及びｙ２（または、近似した位置）を獲得する。まず、前記第一電極１１４において、システム電圧Ｖｄｄを提供して一部分（図４Ａにおいて、矢印が指した部分）だけを駆動し、他の部分にはシステム電圧Ｖｄｄを提供しない。図４Ａ及び図４Ｂにおいて、前記第一電極１１４は２つの部分だけに分割されたが、他の実施形態において、前記第一電極１１４は３つ又はより多い部分に分割されることができる。前記第一電極１１４の駆動過程において、前記第一電極１１４の各々の部分にシステム電圧Ｖｄｄを順番に提供する。なお、システム電圧Ｖｄｄが提供されない部分の第一電極１１４を他の基準電圧に接続するか、接地しない。本実施形態において、システム電圧Ｖｄｄが提供されない部分の前記第一電極１１４を接地電圧Ｖｓｓに接続させる。
【００２８】
図４Ａを参照すると、右側の半分の前記第一電極１１４にシステム電圧Ｖｄｄを提供し、左側の半分の前記第一電極１１４に接地電圧Ｖｓｓを提供した時、前記第二電極１２４に対して測定して、Ｙ軸の第一電位関数を獲得する。前記第二電極１２４を順番に測定する時、測定されない電極１２４には接地電圧Ｖｓｓを提供する。前記タッチパネル１００の左側のタッチ点が位置する部分の前記第一導電層１１３にシステム電圧Ｖｄｄが提供されなかったので、前記左側のタッチ点はＹ軸の第一電位関数にほとんど呈されない。従って、第一電位関数の極値に対応する位置ｙ１’をタッチパネル１００の右側のタッチ点のＹ軸位置ｙ１とする。
【００２９】
図４Ｂを参照すると、続いて、左側の半分の前記第一電極１１４にシステム電圧Ｖｄｄを提供し、右側の半分の前記第一電極１１４にシステム電圧Ｖｄｄを提供しない。その時、前記第二電極１２４’に対して測定して、Ｙ軸の第二電位関数を獲得する。前記第二電極１２４’を順番に測定する時、測定されない第二電極１２４’には接地電圧Ｖｓｓを提供する。前記タッチパネル１００の右側のタッチ点が位置する部分の前記第一導電層１１３にシステム電圧Ｖｄｄが提供されなかったので、前記右側のタッチ点はＹ軸の第二電位関数にほとんど呈されない。従って、第二電位関数の極値に対応する位置ｙ２’をタッチパネル１００の左側のタッチ点のＹ軸位置ｙ２とする。
【００３０】
従って、前記２つのタッチ点のＹ軸位置ｙ１とＹ軸位置ｙ２とが非常に近くても、本実施形態によってそれぞれのタッチ点のＹ軸位置を検出することができる。本実施形態において、Ｙ軸位置ｙ１とＹ軸位置ｙ２とが非常に近い場合を例としたが、本技術分野の技術業者は、本実施形態に基づいて他の場合を類推することもできる。例えば、Ｘ軸方向に沿う前記第一導電層１１３の両側に２組の第一電極１１４（図４Ｂでは上側の第一電極を示していない）をそれぞれに設置し、前記第二電極１２４の上側の半分及び下側の半分に接地電圧Ｖｓｓを順番に提供することで、Ｘ軸位置ｘ１及びｘ２が非常に近くても、前記第一導電層１１３の両側の第一電極１１４によって前記２つのタッチ点のＸ軸位置ｘ１及びｘ２（または、近似した位置）を読出すことができる。
【００３１】
製品のサイズに基づいて、前記第一導電層１１３及び前記第二導電層１２３の１つの側辺だけに電極を設置してもよい。図５Ａ乃至図５Ｃは、多点タッチの識別方法の第二実施形態を示す図であり、ＰＹ１、ＰＹ２、…、ＰＹ１３は、前記第二導電層１２３の第二電極１２４を表す。本実施形態において、詳しく説明しない内容については、図１乃至図３、図４Ａ及び図４Ｂの関連説明を参照することができる。前記第二導電層１２３の第二電極１２４を順番に測定する時、前記第一導電層１１３のすべての第一電極１１４に第一電圧（例えば、システム電圧Ｖｄｄである）を提供する。前記第二電極１２４の順番の測定において、測定されない第二電極１２４に第二電圧（例えば、接地電圧Ｖｓｓ）を提供する。各々の第二電極１２４の位置（Ｙ軸位置に相当）及び測定された電圧に基づいて、タッチ点ｐ１及びｐ２の位置ｙ１及びｙ２における２つの波形が互いに重畳した電位関数Ｐ（１＋２）を獲得する。
【００３２】
続いて、下記のようなステップによって前記２つのタッチ点ｐ１及びｐ２のＹ軸位置ｙ１及びｙ２（または、近似した位置）を獲得する。図５Ｂを参照すると、まず、前記第一電極１１４の一部分（図５Ｂでの右側の半分の第一電極１１４）にシステム電圧Ｖｄｄを提供し、前記第一電極１１４の他の部分（図５Ｂでの左側の半分の第一電極１１４）にシステム電圧Ｖｄｄを提供しない。図５Ｂにおいては、前記第一電極１１４を２つの部分に分割したが、他の実施形態において、前記第一電極１１４を３つ又はより多い部分に分割することもできる。なお、システム電圧Ｖｄｄが提供されない第一電極１１４の一部分を他の基準電圧に接続するか、または接地しない。本実施形態において、システム電圧Ｖｄｄが提供されない第一電極１１４の一部分を接地電圧Ｖｓｓに接続する。
【００３３】
図５Ｂは図４Ａのように、前記第一電極１１４の一部分（右側の部分）にシステム電圧Ｖｄｄを提供し、前記第一電極１１４の他の部分（左側の部分）にシステム電圧Ｖｄｄを提供しない時、前記第二電極１２４に対して測定して、電位関数Ｐ１を獲得する。続いて、電位関数Ｐ（１＋２）及び電位関数Ｐ１によって前記タッチパネル１００のタッチ点ｐ１及びｐ２のＹ軸位置を計算する。詳細する説明は、下記の内容と同じである。
【００３４】
図５Ｃを参照すると、前記タッチパネル１００の左側のタッチ点ｐ２が位置する前記第一導電層１１３にシステム電圧Ｖｄｄが提供されないので、前記タッチ点ｐ２は電位関数Ｐ１にほとんど呈されない。従って、電位関数Ｐ１の極値に対応する位置をタッチパネル１００の右側のタッチ点ｐ１のＹ軸位置ｙ１とする。
【００３５】
本実施形態において、補正係数ｒを提供し、前記電位関数Ｐ１に補正係数ｒを掛けて電位関数Ｐ１’を獲得する（即ち、Ｐ１’＝ｒ×Ｐ１）。前記電位関数Ｐ１’は、前記タッチパネル１００の１つだけのタッチ点Ｐ１に対応するＹ軸の電位関数である。前記補正係数ｒを獲得する方式は、ルックアップテーブルを作成してから、前記ルックアップテーブルを利用して、タッチ点Ｐ１のＸ軸位置ｘ２を前記ルックアップテーブルから探すことで、前記補正係数ｒを獲得する。
【００３６】
方程式Ｐ２＝Ｐ（１＋２）−ｒ×Ｐ１を計算して電位関数Ｐ２を獲得してから、前記電位関数Ｐ２の極値（ここで、相対極大値である）に対応する位置をタッチ点ｐ２のＹ軸位置ｙ２とする。従って、２つのタッチ点ｐ１とｐ２とのＹ軸位置ｙ１及びｙ２が非常に近くても、本実施形態によってそれぞれ２つのタッチ点のＹ軸位置を検出することができる。本実施形態においては、Ｙ軸位置ｙ１及びｙ２が非常に近い場合だけを例としたが、本技術分野の技術業者は、本実施形態に基づいて他の場合を類推することもできる。例えば、Ｘ軸位置ｘ１とＸ軸位置ｘ２とが非常に近い場合、「全部駆動」と「部分駆動」との方式によって前記電極１２４に接地電圧Ｖｓｓを提供してから、タッチ点ｐ１及びｐ２がＸ軸での互いに重畳する電位関数と、タッチ点ｐ１だけの電位関数と、を獲得する。最後、前記２つの電位関数によってタッチパネル１００のタッチ点ｐ１及びｐ２のＸ軸位置（または、近似した位置）を計算する。
【００３７】
他の実施形態において、ルックアップテーブルの作成を省略し、且つ計算が簡略化になるように、補正係数ｒを使用しなくてもよい。即ち、前記方程式Ｐ２＝Ｐ（１＋２）−ｒ×Ｐ１を、方程式Ｐ２＝Ｐ（１＋２）−Ｐ１に変更して、電位関数Ｐ２を獲得してから、タッチ点ｐ２のＹ軸位置ｙ２を計算する。
【００３８】
本発明の第三実施形態において、前記第二実施形態に類似しているステップによって、電位関数Ｐ（１＋２）及び電位関数Ｐ１を獲得する。異なる点は、前記電位関数Ｐ（１＋２）及び電位関数Ｐ１によって、タッチ点ｐ１及びｐ２のＹ軸位置を計算することである。
【００３９】
本実施形態において、前記電位関数Ｐ（１＋２）の極値（相対極大値）に対応する位置を中間位置ｐｍとし、前記電位関数Ｐ１の極値（相対極大値）に対応する位置をタッチ点ｐ１とする。この時、前記ｐｍは前記タッチ点ｐ１と前記タッチ点ｐ２との間に位置する。前記中間位置ｐｍ及び前記タッチ点ｐ１の位置が既知の時、中間点の方程式によってタッチ点ｐ２の位置を計算することができる。例えば、方程式Ｐ２＝２×ｐｍ−Ｐ１を計算して、タッチ点ｐ２の位置を獲得する。本実施形態の誤差は比較的大きいが、計算を大幅に簡略化することができる。
【００４０】
各々の実施形態において、２つのタッチ点が非常に近い場合、タッチ点ｐ１及びタッチ点ｐ２を含む電位関数Ｐ（１＋２）を読出してから、導電層の電極の一部分を駆動して、タッチ点ｐ１を含む電位関数Ｐ１（同時にタッチ点ｐ１の位置を獲得する）を読出し、最後に、前記電位関数Ｐ（１＋２）及び電位関数Ｐ１によってタッチ点ｐ２の位置を計算する。前記第一実施形態において、前記第二導電層の左右両側にそれぞれ一組の電極が設置され、２つのタッチ点が非常に近い場合、第一導電層の電極の一部分を駆動して、前記第二導電層の左右両側に設置されている電極組によってタッチ点ｐ１とタッチ点ｐ２の位置を獲得することができる。
【００４１】
本発明は、構造及び駆動が簡単で、低コストの抵抗式タッチパネルを提供し、前記タッチパネルは、簡単な計算を通じて複数のタッチ点の識別及び各種手姿勢で複数点のタッチ操作を行うことができ、特に、２つのタッチ点が非常に近い場合であっても、タッチ点の座標を判断することができるので、タッチパネルの応用範囲を大幅に拡大することができる。
【００４２】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、いうまでもない。
【符号の説明】
【００４３】
１００  タッチパネル
１１０  導電性フィルム
１１１  第一基板
１１２  第一接着層
１１３  第一導電層
１１４  第一電極
１２０  導電性フィルム
１２１  第二基板
１２２  第二接着層
１２３  第二導電層
１２４、１２４’  第二電極
１２５  接続リード
１３０  リング形接着層
１３１  欠口部
１３２  絶縁素子
１４０  フレキシブルプリント回路基板
１４１  金属接点
【図１】
2011028755.tif 000003
【図２】
2011028755.tif 000004
【図３】
2011028755.tif 000005
【図４Ａ】
2011028755.tif 000006
【図４Ｂ】
2011028755.tif 000007
【図５Ａ】
2011028755.tif 000008
【図５Ｂ】
2011028755.tif 000009
【図５Ｃ】
2011028755.tif 000010